(57)【要約】【課題】経時変化による固定部材の落下を抑制することができる照明器具を提供する。【解決手段】照明器具２は、下側開口部２６を有する器具本体４と、器具本体４の内部に配置され、下側開口部２６を通して光を照射する光源ユニット６と、光源ユニット６を器具本体４に取り付けるネジ８と、器具本体４の内部に着脱自在に配置され、下側開口部２６側からネジ８を覆うカバー部材１０と、を備える。【選択図】図４
2017054748.tif 000002
【特許請求の範囲】
【請求項１】
開口部を有する器具本体と、
前記器具本体の内部に配置され、前記開口部を通して光を照射する光源ユニットと、
前記光源ユニットを前記器具本体に取り付ける固定部材と、
前記器具本体の内部に着脱自在に配置され、前記開口部側から前記固定部材を覆うカバー部材と、を備える
照明器具。
【請求項２】
前記固定部材は、前記光源ユニットの外周部に配置され、
前記カバー部材は、リング状に形成され、前記光源ユニットの周囲を包囲するように配置されている
請求項１に記載の照明器具。
【請求項３】
前記光源ユニットの外周面には、リング状の第１の溝部が形成され、
前記カバー部材の内周部は、前記第１の溝部に着脱自在に嵌め込まれる
請求項２に記載の照明器具。
【請求項４】
前記器具本体の内周面には、リング状の第２の溝部が形成され、
前記カバー部材の外周部は、前記第２の溝部に着脱自在に嵌め込まれる
請求項２又は３に記載の照明器具。
【請求項５】
前記カバー部材は、弾性変形可能な樹脂で形成されている
請求項３又は４に記載の照明器具。
【請求項６】
前記固定部材はネジである
請求項１〜５のいずれか１項に記載の照明器具。
【発明の詳細な説明】
【技術分野】
【０００１】
本発明は、照明器具に関する。
【背景技術】
【０００２】
天井に埋込配設されることにより、下方に光を照射する天井埋込型の照明器具（いわゆるダウンライト）が知られている。この種の照明器具は、開口部を有する器具本体と、器具本体の内部に配置された光源ユニットとを備えている（例えば、特許文献１参照）。
【０００３】
近年、この種の照明器具の一つとして、光源ユニットを交換可能な交換型の照明器具が知られている。光源ユニットは、固定部材としてのネジによって器具本体に着脱自在に取り付けられている。このネジの頭部は、器具本体の開口部を通して器具本体の外部に露出されている。光源ユニットを交換する際には、ユーザがドライバー等の工具を用いて上述したネジを緩めることにより、光源ユニットを器具本体から取り外すことができる。
【先行技術文献】
【特許文献】
【０００４】
【特許文献１】特開２０１２−１８１９４６号公報
【発明の概要】
【発明が解決しようとする課題】
【０００５】
例えば照明器具を設置した後に照明器具が振動することにより、上述したネジが自然に緩むことがある。このとき、緩んだネジが器具本体の開口部を通して落下するおそれがあるという課題が生じる。
【０００６】
本発明は、このような課題に鑑みてなされたものであり、経時変化による固定部材の落下を抑制することができる照明器具を提供することを目的とする。
【課題を解決するための手段】
【０００７】
上記課題を解決するために、本発明の一態様に係る照明器具は、開口部を有する器具本体と、前記器具本体の内部に配置され、前記開口部を通して光を照射する光源ユニットと、前記光源ユニットを前記器具本体に取り付ける固定部材と、前記器具本体の内部に着脱自在に配置され、前記開口部側から前記固定部材を覆うカバー部材と、を備える。
【発明の効果】
【０００８】
本発明の一態様に係る照明器具によれば、経時変化による固定部材の落下を抑制することができる。
【図面の簡単な説明】
【０００９】
【図１】実施の形態１に係る照明器具を斜め上方から見たときの斜視図である。
【図２】実施の形態１に係る照明器具を斜め下方から見たときの斜視図である。
【図３】実施の形態１に係る照明器具の分解斜視図である。
【図４】実施の形態１に係る照明器具の断面図である。
【図５】実施の形態１に係る照明器具の一部を拡大して示す断面斜視図である。
【図６】実施の形態１に係る照明器具の光源ユニットを交換する手順を説明するための斜視図である。
【図７】実施の形態１に係る照明器具の光源ユニットを交換する手順を説明するための斜視図である。
【図８】実施の形態１に係る照明器具の光源ユニットを交換する手順を説明するための斜視図である。
【図９】実施の形態２に係る照明器具の断面図である。
【図１０】実施の形態３に係る照明器具の断面図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態１）
以下、実施の形態１に係る照明器具について説明する。
【００１３】
［１−１．照明器具の全体構成］
図１〜図４を参照しながら、実施の形態１に係る照明器具２の全体構成について説明する。図１は、実施の形態１に係る照明器具２を斜め上方から見たときの斜視図である。図２は、実施の形態１に係る照明器具２を斜め下方から見たときの斜視図である。図３は、実施の形態１に係る照明器具２の分解斜視図である。図４は、実施の形態１に係る照明器具２の断面図である。なお、図４は、図３に示すネジ８の中心軸を通る平面により切断した断面図である。
【００１４】
実施の形態１に係る照明器具２は、例えば住宅等の建物における天井（図示せず）に埋込配設されることにより、下方（図１〜図４において下方）に光を照射する天井埋込型の照明器具（いわゆるダウンライト）である。
【００１５】
図１〜図４に示すように、照明器具２は、器具本体４、光源ユニット６、一対のネジ８（固定部材の一例）及びカバー部材１０を備えている。なお、照明器具２は、光源ユニット６を交換可能な交換型の照明器具である。以下、照明器具２の各構成要素について詳細に説明する。
【００１６】
［１−２．器具本体］
まず、図１〜図４を参照しながら、器具本体４について説明する。図１〜図４に示すように、器具本体４は、筐体１２、複数（本実施の形態では３個）の取付バネ１４及び保持プレート１６を有している。
【００１７】
図１〜図４に示すように、筐体１２は、筒部１８、鍔部２０及び取付部２２を有しており、これらは例えばアルミニウム等の金属で一体に形成されている。本実施の形態では、筐体１２は、アルミダイカスト製である。
【００１８】
筒部１８は、筒状に形成されている。具体的には、筒部１８の取付部２２よりも上側の部分は円筒状に形成され、筒部１８の取付部２２よりも下側の部分は、下方に向けて直径が漸増するラッパ状に形成されている。筒部１８の上端部には、円形状の上側開口部２４が形成されている。筒部１８の下端部には、円形状の下側開口部２６（開口部の一例）が形成されている。筒部１８の外周面には、複数の放熱フィン２８が形成されている。鍔部２０は、リング状に形成され、筒部１８の下端部から径方向外側に突出している。
【００１９】
図４に示すように、取付部２２は、円板状に形成され、筒部１８の内周面に固定されている。なお、取付部２２は、筒部１８の内部において、筒部１８の上端部と下端部との中間部に配置されている。図４及び後述する図８に示すように、取付部２２には、一対のネジ８をそれぞれ螺着するための一対のネジ孔３０と、光源ユニット６から延びる光源側リード線３２（後述する）を挿通するための円形状の貫通孔３４とが形成されている。
【００２０】
複数の取付バネ１４は、照明器具２を天井に取り付けるためのものである。図１〜図４に示すように、複数の取付バネ１４は、筒部１８の周方向に間隔を置いて配置され、筒部１８の下端部近傍における筒部１８の外周面に取り付けられている。複数の取付バネ１４の各々は、例えば鉄等の金属板で形成され、弾性復元力を有している。複数の取付バネ１４の各々と鍔部２０との間に天井を挟持することにより、照明器具２が天井に取り付けられる。
【００２１】
保持プレート１６は、照明器具２の外部（例えば天井裏等）に設置された電源ボックス（図示せず）から延びる電源側リード線３６（図４参照）を保持するためのものである。図１及び図４に示すように、保持プレート１６は、筒部１８の上側開口部２４を覆うように配置され、筒部１８の上端部に一対のネジ３８で取り付けられている。
【００２２】
なお、図４に示すように、光源側リード線３２の光源ユニット６と反対側の端部には、光源側コネクタ４０が電気的に接続されている。また、電源側リード線３６の電源ボックスとは反対側の端部には、電源側コネクタ４２が電気的に接続されている。これらの光源側コネクタ４０及び電源側コネクタ４２は、筒部１８の内部に配置されている。光源側コネクタ４０と電源側コネクタ４２とが着脱自在に接続されることにより、光源ユニット６と電源ボックスとが光源側リード線３２及び電源側リード線３６を介して電気的に接続される。電源ボックスは、商用電源等の外部電源（図示せず）からの交流電力を、整流、平滑及び降圧等することにより所定レベルの直流電力に変換し、当該直流電力を電源側リード線３６及び光源側リード線３２を介して光源ユニット６に供給する。
【００２３】
なお、光源側リード線３２及び電源側リード線３６の各々の長さは、光源ユニット６を交換する際の作業性を考慮して、比較的長めに構成されている。すなわち、後述する図８に示すように、光源ユニット６を器具本体４から取り外した際に、光源側リード線３２、電源側リード線３６、光源側コネクタ４０及び電源側コネクタ４２を器具本体４の外部に引き出し、光源側コネクタ４０を電源側コネクタ４２から切り離すことができるように、光源側リード線３２及び電源側リード線３６の各々の長さは比較的長めに構成されている。そのため、図４に示すように、光源ユニット６が器具本体４に取り付けられた状態では、光源側リード線３２及び電源側リード線３６の各々は、屈曲した状態で筒部１８の内部に配置されている。
【００２４】
［１−３．光源ユニット］
次に、図２〜図４を参照しながら、光源ユニット６について説明する。光源ユニット６は、例えば白色光を発する白色ＬＥＤ（Ｌｉｇｈｔ  Ｅｍｉｔｔｉｎｇ  Ｄｉｏｄｅ）光源であり、器具本体４の内部に配置されている。図２〜図４に示すように、光源ユニット６は、光源モジュール４４、反射部材４６及びレンズカバー４８を有している。
【００２５】
図４に示すように、光源モジュール４４は、基板５０と、基板５０に実装された複数のＬＥＤチップ５２と、複数のＬＥＤチップ５２を封止する封止部材（図示せず）とを有している。光源モジュール４４の実装構造は、ＬＥＤチップ５２が基板５０上に直接実装されたＣＯＢ（Ｃｈｉｐ  Ｏｎ  Ｂｏａｒｄ）構造である。
【００２６】
基板５０は、例えばセラミック基板、樹脂基板又はメタルベース基板等である。基板５０上には、ＬＥＤチップ５２を発光させるための直流電力を外部から受電するための電極端子（図示せず）と、ＬＥＤチップ５２を実装するための配線パターン（図示せず）とが形成されている。この電極端子には、上述した光源側リード線３２の端部が電気的に接続されている。さらに、図４及び後述する図８に示すように、基板５０の外周部には、一対のネジ８をそれぞれ挿通するための一対の挿通孔５４が形成されている。基板５０は、筐体１２の取付部２２の下面に接触するように配置されている。
【００２７】
複数のＬＥＤチップ５２の各々は、例えば青色光を発する青色ＬＥＤチップである。複数のＬＥＤチップ５２は、基板５０上に形成された配線パターンに実装されており、基板５０上にマトリクス状に配置されている。
【００２８】
封止部材は、例えば透光性を有する樹脂で形成されており、複数のＬＥＤチップ５２が発する青色光を黄色光に波長変換する蛍光体粒子を含んでいる。光源モジュール４４は、複数のＬＥＤチップ５２が発する青色光と、蛍光体粒子によって波長変換された黄色光との合成光として白色光を発する。
【００２９】
図４に示すように、反射部材４６は、複数のＬＥＤチップ５２からの光を下方に向けて反射するためのものである。反射部材４６は、筒状に形成されており、複数のＬＥＤチップ５２の周囲を包囲するように配置されている。反射部材４６の内周面には、複数のＬＥＤチップ５２からの光を反射する反射面が形成されている。反射部材４６は、例えばポリブチレンテレフタレート（ＰＢＴ）等の樹脂で形成されている。なお、反射部材４６は、例えばアルミニウム等の金属で形成されてもよい。
【００３０】
図２〜図４に示すように、レンズカバー４８は、透光性を有する（例えば乳白色の）樹脂で形成されている。レンズカバー４８は、複数のＬＥＤチップ５２及び反射部材４６を覆うように配置され、例えば熱カシメにより基板５０上に固定されている。図３及び図４に示すように、レンズカバー４８の外周面には、溝部５６（第１の溝部の一例）が形成されている。溝部５６は、レンズカバー４８の周方向に沿ってリング状に延びている。
【００３１】
複数のＬＥＤチップ５２からの光は、反射部材４６の反射面で反射した後に、レンズカバー４８を透過する。レンズカバー４８を透過した光は、筒部１８の下側開口部２６を通して下方に照射される。
【００３２】
［１−４．ネジ］
次に、図３及び図４を参照しながら、一対のネジ８について説明する。一対のネジ８は、光源ユニット６を器具本体４に取り付けるためのものである。一対のネジ８の各々は金属で形成されている。なお、一対のネジ８の各々は樹脂で形成されてもよい。
【００３３】
図３及び図４に示すように、一対のネジ８はそれぞれ、筒部１８の下側開口部２６側から基板５０に形成された一対の挿通孔５４に挿通され、且つ、取付部２２に形成された一対のネジ孔３０に螺着されている。これにより、一対のネジ８の各々の中心軸は、上下方向に沿って延びるようになる。また、一対のネジ８の各々の頭部８ａは、筒部１８の下側開口部２６側を向くように配置される。
【００３４】
なお、本実施の形態では、ネジ８を２個設けたが、これに限定されず、１個のみ設けてもよく、あるいは、３個以上設けてもよい。また、ネジ８の種類は特に限定されず、例えばタッピンネジ等でもよい。
【００３５】
［１−５．カバー部材］
次に、図２〜図５を参照しながら、カバー部材１０について説明する。図５は、実施の形態１に係る照明器具２の一部を拡大して示す断面斜視図である。
【００３６】
図２及び図３に示すように、カバー部材１０は、リング状に形成されている。カバー部材１０は、例えばシリコンゴム等の弾性変形可能な樹脂で形成されている。
【００３７】
図４及び図５に示すように、カバー部材１０の内周部１０ａは、レンズカバー４８に形成された溝部５６に着脱自在に嵌め込まれている。また、カバー部材１０の外周部１０ｂは、筒部１８の内周面に対向するように配置される。これにより、カバー部材１０は、筒部１８の内部において、光源ユニット６の周囲を包囲するように配置される。このとき、一対のネジ８は、光源ユニット６の外周部において光源ユニット６の周方向に間隔を置いて配置されているので、カバー部材１０は、筒部１８の下側開口部２６側から（すなわち、下方から）一対のネジ８を覆うように配置される。
【００３８】
なお、照明器具２の外観の見栄えを高めるために、カバー部材１０を不透明の材料で形成し、且つ、カバー部材１０の色を器具本体４の色と同じ色にしてもよい。
【００３９】
［１−６．光源ユニットの交換手順］
次に、図６〜図８を参照しながら、光源ユニット６を交換する手順について説明する。図６〜図８の各々は、実施の形態１に係る照明器具２の光源ユニット６を交換する手順を説明するための斜視図である。
【００４０】
光源ユニット６を交換する際には、まず、図６及び図７に示すように、カバー部材１０をレンズカバー４８の溝部５６から取り外す。このとき、例えばユーザがカバー部材１０の外周部１０ｂを手で下方に引っ張ることにより、カバー部材１０が弾性変形しながらレンズカバー４８の溝部５６から取り外される。カバー部材１０が取り外された状態では、一対のネジ８の各々の頭部８ａは、筒部１８の下側開口部２６を通して器具本体４の外部に露出される。
【００４１】
その後、図８に示すように、ユーザがドライバー等の工具を用いて一対のネジ８の各々を緩めることにより、光源ユニット６が器具本体４から取り外される。このとき、光源側リード線３２、電源側リード線３６、光源側コネクタ４０及び電源側コネクタ４２は、取付部２２の貫通孔３４から器具本体４の外部に引き出されるようになる。この状態で光源側コネクタ４０を電源側コネクタ４２から切り離すことにより、光源ユニット６を交換することができる。
【００４２】
［１−７．効果］
上述したように、本実施の形態の照明器具２は、下側開口部２６を有する器具本体４と、器具本体４の内部に配置され、下側開口部２６を通して光を照射する光源ユニット６と、光源ユニット６を器具本体４に取り付ける固定部材としてのネジ８と、器具本体４の内部に着脱自在に配置され、下側開口部２６側からネジ８を覆うカバー部材１０とを備える。
【００４３】
この構成によれば、カバー部材１０が下側開口部２６側からネジ８を覆うので、経時変化によりネジ８が自然に緩んだ際に、緩んだネジ８がカバー部材１０によって下方から受けられるようになる。これにより、緩んだネジ８が下側開口部２６を通して落下するのを抑制することができる。
【００４４】
さらに、ネジ８は、光源ユニット６の外周部に配置されている。カバー部材１０は、リング状に形成され、光源ユニット６の周囲を包囲するように配置されている。
【００４５】
この構成によれば、ネジ８を覆うためのカバー部材１０の面積を大きく確保することができるので、緩んだネジ８が下側開口部２６を通して落下するのをより一層効果的に抑制することができる。
【００４６】
さらに、光源ユニット６の外周面には、リング状の溝部５６が形成されている。カバー部材１０の内周部１０ａは、溝部５６に着脱自在に嵌め込まれる。
【００４７】
この構成によれば、カバー部材１０を光源ユニット６の外周面に容易に取り付けることができる。
【００４８】
さらに、カバー部材１０は、弾性変形可能な樹脂で形成されている。
【００４９】
この構成によれば、カバー部材１０を光源ユニット６の溝部５６に対して着脱させる作業を行う際に、カバー部材１０を弾性変形させることができるので、カバー部材１０の着脱を容易に行うことができる。
【００５０】
さらに、固定部材はネジ８である。
【００５１】
この構成によれば、光源ユニット６を器具本体４にネジ８で取り付けることができる。
【００５２】
（実施の形態２）
次に、図９を参照しながら、実施の形態２に係る照明器具２Ａの構成について説明する。図９は、実施の形態２に係る照明器具２Ａの断面図である。なお、以下の各実施の形態において、上記実施の形態１と同一の構成要素には同一の符号を付して、その説明を省略する。
【００５３】
本実施の形態では、カバー部材１０Ａの取り付け先が上記実施の形態１と異なっている。図９に示すように、筒部１８Ａの内周面には、溝部５８（第２の溝部の一例）が形成されている。溝部５８は、筒部１８Ａの周方向に沿ってリング状に延びている。なお、レンズカバー４８Ａの外周部には、上記実施の形態１で説明した溝部５６は形成されていない。
【００５４】
図９に示すように、カバー部材１０Ａの外周部１０ｂは、筒部１８Ａに形成された溝部５８に着脱自在に嵌め込まれている。また、カバー部材１０Ａの内周部１０ａは、レンズカバー４８Ａの外周面に対向するように配置される。これにより、カバー部材１０Ａは、筒部１８Ａの内部において、筒部１８Ａの下側開口部２６側から一対のネジ８を覆うように配置される。
【００５５】
以上説明したように、本実施の形態の照明器具２Ａでは、器具本体４の内周面には、リング状の溝部５８が形成されている。カバー部材１０Ａの外周部１０ｂは、溝部５８に着脱自在に嵌め込まれる。
【００５６】
この構成によれば、カバー部材１０Ａを器具本体４の内周面に容易に取り付けることができる。
【００５７】
（実施の形態３）
次に、図１０を参照しながら、実施の形態３に係る照明器具２Ｂの構成について説明する。図１０は、実施の形態３に係る照明器具２Ｂの断面図である。
【００５８】
本実施の形態では、カバー部材１０Ｂの取り付け先が上記実施の形態１と異なっている。図１０に示すように、レンズカバー４８Ｂの外周部に溝部５６（第１の溝部の一例）が形成されているとともに、筒部１８Ｂの内周面に溝部５８（第２の溝部の一例）が形成されている。
【００５９】
図１０に示すように、カバー部材１０Ｂの内周部１０ａは、レンズカバー４８Ｂに形成された溝部５６に着脱自在に嵌め込まれている。さらに、カバー部材１０Ｂの外周部１０ｂは、筒部１８Ｂに形成された溝部５８に着脱自在に嵌め込まれている。これにより、カバー部材１０Ｂは、筒部１８Ｂの内部において、筒部１８Ｂの下側開口部２６側から一対のネジ８を覆うように配置される。
【００６０】
以上説明したように、本実施の形態の照明器具２Ｂでは、カバー部材１０Ｂの内周部１０ａがレンズカバー４８Ｂの外周面に着脱自在に取り付けられるとともに、カバー部材１０Ｂの外周部１０ｂが筒部１８Ｂの内周面に着脱自在に取り付けられる。これにより、カバー部材１０Ｂを器具本体４に安定して取り付けることができる。
【００６１】
（変形例等）
以上、本発明について実施の形態１〜３に基づいて説明したが、本発明は、上記各実施の形態に限定されるものではない。
【００６２】
例えば、上記各実施の形態では、カバー部材１０（１０Ａ，１０Ｂ）を弾性変形可能な樹脂で形成したが、これに限定されず、例えば弾性変形しない樹脂又は金属等で形成してもよい。
【００６３】
また、上記各実施の形態では、カバー部材１０（１０Ａ，１０Ｂ）をリング状に形成したが、これに限定されず、例えばＣ字状等の任意の形状に形成してもよい。
【００６４】
また、上記各実施の形態では、レンズカバー４８（４８Ｂ）の外周面に溝部５６を形成したが、この溝部５６の下側のエッジ部分に返し部を形成してもよい。この返し部の先端がカバー部材１０（１０Ａ）に下方から食い込むことにより、カバー部材１０（１０Ａ）が溝部５６から抜け落ちるのを抑制することができる。また、筒部１８Ａ（１８Ｂ）に形成された溝部５８についても同様に、溝部５８の下側のエッジ部分に返し部を形成してもよい。
【００６５】
また、上記各実施の形態では、光源モジュール４４の実装構造をＣＯＢ構造としたが、これに限定されず、例えばＬＥＤチップ５２がパッケージ化されたＬＥＤ素子を基板５０上に実装したＳＭＤ（Ｓｕｒｆａｃｅ  Ｍｏｕｎｔ  Ｄｅｖｉｃｅ）構造としてもよい。
【００６６】
また、上記各実施の形態では、光源ユニット６がＬＥＤチップ５２を備えるようにしたが、これに限定されず、例えば有機ＥＬ（Ｅｌｅｃｔｒｏ  Ｌｕｍｉｎｅｓｃｅｎｃｅ）、無機ＥＬ又は半導体レーザ素子等を備えるようにしてもよい。
【００６７】
また、上記各実施の形態では、固定部材としてネジ８を用いたが、これに限定されず、例えば固定部材としてボルト、ピン又は爪機構等を用いることもできる。
【００６８】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００６９】
２，２Ａ，２Ｂ  照明器具
４  器具本体
６  光源ユニット
８  ネジ（固定部材）
１０，１０Ａ，１０Ｂ  カバー部材
１０ａ  内周部
１０ｂ  外周部
２６  下側開口部（開口部）
５６  溝部（第１の溝部）
５８  溝部（第２の溝部）
【図１】
2017054748.tif 000003
【図２】
2017054748.tif 000004
【図３】
2017054748.tif 000005
【図４】
2017054748.tif 000006
【図５】
2017054748.tif 000007
【図６】
2017054748.tif 000008
【図７】
2017054748.tif 000009
【図８】
2017054748.tif 000010
【図９】
2017054748.tif 000011
【図１０】
2017054748.tif 000012